(57)【特許請求の範囲】
【請求項１】
農産物を収納して運搬するための運搬バッグであり、
底部、側部及び上部開口部を有する袋体と、
前記袋体の底部に配置され、前記農産物が積載される底板と、
前記底板の周辺に沿った方向に前記袋体に形成された底排出口と、
前記底排出口を開かない状態に維持する開閉具と、
前記袋体の側部に沿って上下方向が長手方向となるように配置され、前記上部開口部を上にした状態に該袋体を起立させる棒状の複数本の骨格部材と、
を備え、
前記骨格部材は、前記袋体から抜き出し可能なように構成された運搬バッグ。
【請求項２】
前記骨格部材は、前記袋体に固定され上下方向を長手方向とする帯状袋に収納された請求項１に記載する運搬バッグ。
【請求項３】
前記骨格部材を抜き出すことにより、前記袋体を上下に折り畳むことができるように構成された請求項１又は２に記載する運搬バッグ。
【請求項４】
前記底排出口に連続し該底排出口から前記上部開口部に向かって延びる方向に前記袋体に形成された側部排出口を備えた請求項１〜３のいずれかに記載する運搬バッグ。
【請求項５】
前記底板と略平行に前記袋体の側部に固定された棒状の補強部材を備えた請求項１〜４のいずれかに記載する運搬バッグ。
【請求項６】
前記上部開口部から下に向かって延びる方向に前記袋体に形成された搬入割れ目と、
前記搬入割れ目に設けられた搬入ファスナーと、
を備えた請求項１〜５のいずれかに記載する運搬バッグ。
【発明の詳細な説明】
【技術分野】
【０００１】
本発明は、農場で収穫した農産物を収納、運搬及び排出を行う運搬バッグ及び農産物排出方法に関する。
【背景技術】
【０００２】
従来、農場において収穫された西瓜（農産物）は、作業者の手作業により、直接トラックの荷台に複数個積載されて選果場まで運搬されていた。選果場においては、運搬された西瓜は、選果コンベヤによって選果工程へ搬送され、等級毎に振り分けられ、等級毎に出荷用の包装箱に収納されて出荷されていた。
【０００３】
ここで、選果コンベヤは、工場内に設置されている。このため、選果場へ運搬した西瓜をトラックの荷台上から選果コンベヤ上に移転していく場合、トラックを工場内に乗り入れてトラックを選果コンベヤに隣接させ、西瓜をトラックの荷台上から直接選果コンベヤ上に移転していく必要があった。
【０００４】
ところが、工場の出入り口及び工場内のスペースには限りがある。そこで、一のトラックから西瓜を選果コンベヤへ手作業により１個ずつ移転している時は、西瓜を積載した他のトラックは、工場の外の待機スペースで時間待ちする必要があった。このため、西瓜を複数のトラックから選果コンベヤへ移転する効率が悪かった。
【０００５】
そこで、図１９に示すように、選果場２００には、工場外２０２から工場内２０３の選果コンベヤ２０４へ通じる入荷コンベヤ２０６が設置されるに至った。入荷コンベヤ２０６が設置された選果場２００においては、西瓜２０８を積載した複数のトラックが略同時に到着したとしても、スペースに余裕のある工場外２０２で複数のトラックが入荷コンベヤ２０６に隣接し、各トラックの荷台上から略同時に、西瓜２０８が入荷コンベヤ２０６上へ手作業により移転されていく。入荷コンベヤ２０６上に移転された西瓜２０８は、選果コンベヤ２０４へ移転され、選果工程へ搬送される。
【０００６】
しかし、従来のトラックによる選果場への西瓜の運搬作業によれば、トラックの荷台に複数個の西瓜を直接載置して運搬するため、西瓜が荷台上で転がり西瓜と西瓜がぶつかり、西瓜が損傷することがあった。また、選果場まで運搬された西瓜を入荷コンベヤへ載置していく従来の入荷作業によれば、作業者の手作業によって西瓜１個ずつについて行っていく必要があるため、手間がかかり効率が悪かった。
【発明の概要】
【発明が解決しようとする課題】
【０００７】
本発明は、農産物を損傷させることなく運搬し、運搬した農産物を効率的に選果場の入荷コンベヤ又は選果コンベヤへ搬入できる運搬バッグ及び農産物排出方法を提供することを目的とする。
【課題を解決するための手段】
【０００８】
本発明の運搬バッグは、農産物を収納して運搬するための運搬バッグであり、底部、側部及び上部開口部を有する袋体と、前記袋体の底部に配置され、前記農産物が積載される底板と、前記底板の周辺に沿った方向に前記袋体に形成された底排出口と、前記底排出口に設けられた排出ファスナーと、を備えたことを特徴とする。
また、本発明の運搬バッグは、前記運搬バッグにおいて、前記底排出口に連続し該底排出口から前記上部開口部に向かって延びる方向に前記袋体に形成された側部排出口を備えたことを特徴とする。
また、本発明の運搬バッグは、前記運搬バッグにおいて、前記袋体の側部に沿って配置され、前記上部開口部を上にした状態に該袋体を起立させる骨格部材を備え、前記骨格部材は、前記袋体から抜き出し可能なように構成されたことを特徴とする。
また、本発明の運搬バッグは、前記運搬バッグにおいて、前記骨格部材は、前記袋体に固定され上下方向を長手方向とする帯状袋に収納されたことを特徴とする。
また、本発明の運搬バッグは、前記運搬バッグにおいて、前記骨格部材を抜き出すことにより、前記袋体を上下に折り畳むことができるように構成されたことを特徴とする。
また、本発明の運搬バッグは、前記運搬バッグにおいて、前記底板と略平行に前記袋体の側部に固定された棒状の補強部材を備えたことを特徴とする。
また、本発明の運搬バッグは、前記運搬バッグにおいて、前記上部開口部から下に向かって延びる方向に前記袋体に形成された搬入割れ目と、前記搬入割れ目に設けられた搬入ファスナーと、を備えたことを特徴とする。
本発明の農産物排出方法は、前記運搬バッグを使用して行う農産物搬出方法であって、一端が他端よりも低い底板部を有する傾斜台を排出場に設置するステップと、前記運搬バッグの前記第一割れ目を前記底板部の一端に隣接させて、該運搬バッグを該底板部上に載置するステップと、前記排出ファスナーを開くステップと、を含むことを特徴とする。
【発明の効果】
【０００９】
本発明の運搬バッグによれば、開閉具によって側部排出口を閉じた状態で、袋体の上部開口部から複数の農産物を入れて収納し、トラックの荷台に載置して選果場に運搬することができる。このため、農産物がトラックの荷台の上で転がることがなく、農産物を損傷させることなく運搬することができる。
【００１０】
しかも、本発明の運搬バッグ及び農産物排出方法によれば、複数の農産物を収納して選果場に運搬し、選果場の選果コンベヤに隣接させて位置決めし、又は選果コンベヤの上に位置決めし、袋体内の農産物が側部排出口から排出され得るように底部及び底板を傾斜させ、側部排出口を開くことにより、袋体内に収納した農産物の全てを選果コンベヤ上に排出させることができる。このため、選果場まで運搬された農産物を、効率的に選果コンベヤ上へ載置していくことができる。
【図面の簡単な説明】
【００１１】
【図１】本発明に係る運搬バッグを示す斜視図である。
【図２】図１の運搬バッグの排出ファスナーを開けた状態を示す斜視図である。
【図３】図１の運搬バッグとともに使用する傾斜台を示す図であり、同図（ａ）は正面図であり、同図（ｂ）は右側面図であり、同図（ｃ）は右側面断面図である。
【図４】図１の運搬バッグに西瓜を収納する状態を示す右側面図である。
【図５】図１の運搬バッグを傾斜台に載置する状態を示す右側面図である。
【図６】図１の運搬バッグを傾斜台に載置した状態を示す右側面図である。
【図７】図１の運搬バッグから西瓜を排出する状態を示す右側面図である。
【図８】図１の運搬バッグを折り畳んで運搬する状態を示す右側面図である。
【図９】本発明に係る運搬バッグの他の実施形態を示す斜視図である。
【図１０】図９の運搬バッグの排出ファスナーを開けた状態を示す斜視図である。
【図１１】本発明に係る運搬バッグの更に他の実施形態を示す斜視図である。
【図１２】図１１の運搬バッグの排出ファスナーを開けた状態を示す斜視図である。
【図１３】本発明に係る運搬バッグの更に他の実施形態を示す斜視図である。
【図１４】図１３の運搬バッグの使用状態を示す右側面図である。
【図１５】本発明に係る運搬バッグの更に他の実施形態を示す正面図である。
【図１６】図１５の運搬バッグの平面図である。
【図１７】図１５の運搬バッグの使用状態を示す正面図である。
【図１８】図１５の運搬バッグの使用状態を示す右側面図である。
【図１９】従来の選果場を示す平面図である。
【発明を実施するための形態】
【００１２】
次に、本発明の実施形態について、図面に基づいて詳細に説明する。図面において、符号１０は本発明の運搬バッグを示す。
【００１３】
運搬バッグ１０は、図１及び図２に示すように、長方形等の矩形の底部１２、上部開口部１６及び４枚の側部１４（１４−１，１４−２，１４−３，１４−４）を有する袋体１８と、袋体１８の底部１２に配置され、西瓜（農産物）が積載される底板２０と、を備えている。また、底板２０の周辺に沿った方向に袋体１８に形成された１本の底排出口２２と、底排出口２２に連続し底排出口２２から上部開口部１６に向かって延びる２本の側部排出口２４と、２本の側部排出口２４に各々設けられた排出ファスナー（開閉具）２６と、を備えている。
【００１４】
さらに、運搬バッグ１０は、図１及び図２に示すように、袋体１８の側部１４の裏面に上下方向が長手方向となるように配置され、上部開口部１６を上にした状態に袋体１８を起立させる骨格部材２８と、底板２０と略平行に袋体１８の側部１４に固定された棒状の補強部材３０と、を備えている。また、上部開口部１６から下に向かって延びる方向に袋体１８に形成された２本の搬入割れ目３２と、２本の搬入割れ目３２に各々設けられた搬入ファスナー３４と、を備えている。
【００１５】
袋体１８は、折り畳み可能なように、織布又は不織布等から構成されている。また、袋体１８は、織布又は不織布等自体の補強のために、正面側の側部１４−１、右側面側の側部１４−２、左側面側の側部１４−４及び背面側の側部１４−３の表面に、上下方向に延びる縦補強帯３６及び横方向に延びる横補強帯３８が縫合されている。
【００１６】
また、袋体１８は、右側面側の及び左側面側の縦補強帯３６には、運搬バッグ１０をフォークリフト等によって吊り上げるための吊紐４０が連続している。
【００１７】
底板２０は、袋体１８に収納する複数の西瓜の重量による負荷を受けても変形又は破損しない木材、樹脂又はクッション材から構成されている。底板２０は、袋体１８に収納する複数の西瓜の重量に応じて強度や厚みを変更するために交換できるように、上部開口部１６から袋体１８内に入れた後、袋体１８の底部１２上に配置できることが好ましい。また、底板２０は、長方形等の矩形の底部１２に対応して、長方形等の矩形を有する。
【００１８】
底排出口２２は、正面側の側部１４−１において、底板２０に沿った方向に略一直線に延びている。底排出口２２は、変形しない底板２０に沿った方向に略一直線に延びるため、連続する排出ファスナー２６を開けなければ、拡幅することはなく、袋体１８内の西瓜が外へ出てしまうことがなく、開閉具（ファスナー）は設けられていない。
【００１９】
２本の側部排出口２４は、底排出口２２の両端に連続し、これら両端から、正面側の側部１４−1の上下方向中間部まで延びている。
【００２０】
２本の側部排出口２４に各々設けられた排出ファスナー２６は、スライダー４２が最下端に位置する場合に全て閉じ、スライダー４２を最上端にスライドさせた場合に全て開くファスナーである。排出ファスナー２６が設けられた側部排出口２４が底排出口２２の両端に連続しているため、２本の排出ファスナー２６を開けることにより、正面側の側部１４−１の略下半分１４−１−ｂが外へ揺動して、袋体１８に図２に示す側部開口部２３が形成され得る状態となる。
【００２１】
骨格部材２８は、棒状部材であり、複数本準備され、袋体１８の中で右側面側の側部１４−２、背面側の側部１４−３、及び左側面側の側部１４−４の裏面に固定され、上下方向を長手方向とする帯状袋４４に、上から出し入れ可能に収納されている。全ての骨格部材２８を帯状袋４４から抜き出すことにより、袋体１８を折り畳むことができる。
【００２２】
補強部材３０は、変形しない金属から構成され、袋体１８の中で正面側の側部１４−１、右側面側の側部１４−２、背面側の側部１４−３、及び左側面側の側部１４−４に固定され、骨格部材２８とともに、袋体１８を直方体形状に維持できるように構成されている。袋体１８を直方体形状に維持することにより、袋体１８を立設させるラックを使用しないでトラックの荷台に載置することができ、トラックによる運搬が容易となる。なお、補強部材３０の固定は、結束バンド（インシュロック）又は針金を袋体１８に通し、補強部材３０に巻いて結束することにより行われる。
【００２３】
右側面側の側部１４−２、背面側の側部１４−３、及び左側面側の側部１４−４に固定された補強部材３０は一体的にコの字形状に連続し、袋体１８の平面視において長方形を維持できる。なお、正面側の側部１４−１、右側面側の側部１４−２、背面側の側部１４−３、及び左側面側の側部１４−４において連続するロの字形状であってもよい。
【００２４】
２本の搬入割れ目３２は、西瓜を袋体１８に収納しやすいように設けられ、上部開口部１６から正面側の側部１４−１の上下方向中間付近まで下に向かって延びている。これら２本の搬入割れ目３２に各々設けられた搬入ファスナー３４は、スライダー４６が最上端に位置する場合に全て閉じ、スライダー４６を最下端にスライドさせた場合に全て開くファスナーである。
【００２５】
なお、以上のような構成の運搬バッグ１０は、選果場において西瓜を搬出する際に、傾斜台６０に載置されて使用される。
【００２６】
傾斜台６０は、図３及び図６に示すように、載置台５８に載置した時に前端６３が後ろ端６５よりも低くなり、西瓜が後端６５側から前端６３側へ転動する底板部６２と、底板部６２の後端６５を持ち上げて底板部６２を傾斜させる支持柱６４と、底板部６２の両側端から起立し、底板部６２上を転動する西瓜を誘導する２枚のガイド板６６と、底板部６２の前端６３から立設され運搬バッグ１０を密着させて底板部６２上に位置決めする密着板６８と、を備えて構成されている。
【００２７】
支持柱６４は、長さ調節することにより底板部６２の傾斜角度を調節できるように構成してもよい。密着板６８は、西瓜を通過させる開口部７０が設けられている。
【００２８】
以下に、本発明の運搬バッグ１０の作用及び効果について説明する。
【００２９】
西瓜を収穫する農場において、運搬バッグ１０は、図４に示すように、トラック５０の荷台５２に積載される。この時、図１に示すように帯状袋４４の各々に骨格部材２８が収納されており、袋体１８は、トラック５０の荷台５２上で起立する。このため、運搬バッグ１０をラック内に設置して起立させる必要はない。
【００３０】
次に、作業者が２本の搬入割れ目３２に各々設けられた搬入ファスナー３４のスライダー４６を最下端までスライドさせる。これにより、袋体１８の正面側の側部１４−１の略上半分１４−１−ａが袋体１８の外側へ垂れ下がり、袋体１８の正面側に側部開口部が形成される。作業者は、収穫した西瓜５４を、この側部開口部から袋体１８の底部１２上に載置していく。このため、作業者が西瓜５４を持ち上げて袋体１８の最上端である上部開口部１６から袋体１８内に入れる必要がなく、側部開口部から容易に西瓜５４を袋体１８内に収納することができる。
【００３１】
西瓜５４が袋体１８の底部１２上に１段収納されると、作業者は、搬入ファスナー３４のスライダー４６を、西瓜５４の直径程度の距離だけ上へスライドさせる。そして、作業者は、１段目の西瓜５４の上に更に西瓜５４を載置する。このようにしてスライダー４６が上へ段階的にスライドさせられながら、順次複数の西瓜５４が複数段積層されていく。やがて、西瓜５４が袋体１８に充填される。
【００３２】
西瓜５４が袋体１８内に充填された運搬バッグ１０は、トラック５０により選果場まで運搬される。
【００３３】
選果場においては、図５に示すように、選果コンベヤ５６に隣接して載置台５８が設置され、載置台５８の上には傾斜台６０が載置されている。
【００３４】
西瓜５４が収納された運搬バッグ１０を載置したトラックは、工場外に駐車し、作業者は、西瓜５４が収納された運搬バッグ１０を、トラックから選果コンベヤ５６の近辺の入荷スペースにフォークリフト等によって荷降ろしする。西瓜５４が収納された運搬バッグ１０を載置した他のトラックが選果場に略同時に到着いた場合、他のトラックも、工場外に駐車し、作業者は、西瓜５４が収納された運搬バッグ１０を、他のトラックから入荷スペースにフォークリフト等によって荷降ろしする。このようにして、複数のトラックから入荷スペースへの運搬バッグ１０の荷降ろしが行われる。
【００３５】
入荷スペースに荷降ろしされた運搬バッグ１０は、吊紐４０が、フォークリフト７２に取り付けられた吊り上げ用治具７４に掛けられる。作業者は、フォークリフト７２を運転して、荷降ろしされた運搬バッグ１０を吊り上げ、図５に示すように傾斜台６０上まで移動させ、図６に示すように、運搬バッグ１０を傾斜台６０上に載置する。
【００３６】
運搬バッグ１０を傾斜台６０上に載置した状態で、作業者は、排出ファスナー２６の各々のスライダー４２を、西瓜５４の直径以上の距離だけ上へスライドさせる。スライダー４２を上へスライドさせると、２本の側部排出口２４は閉じた状態から解除される。この２本の側部排出口２４は、開閉具を設けない底排出口２２の両端に連続しており、袋体１８の正面側の側部１４−１の中で２本の側部排出口２４及び底排出口２２に囲まれている略下半分１４−１−ｂが袋体１８の外側へ揺動可能な状態となる。
【００３７】
このため、図７に示すように、袋体１８内の西瓜５４は、自重により、傾斜台６０の底板部６２及び運搬バッグ１０の底板２０に沿って転がり、袋体１８の略下半分１４−１−ｂを押し上げながら、選果コンベヤ５６上に排出される。
【００３８】
このようにして、一の運搬バッグ１０から選果コンベヤ５６上への西瓜５４が排出されると、一の運搬バッグ１０は傾斜台６０から離脱される。そして、一の運搬バッグ１０と同様に、入荷スペースに荷降ろしされた他の運搬バッグ１０が傾斜台６０に載置され、他の運搬バッグ１０から選果コンベヤ５６上へ西瓜５４が排出される。このようにして、複数の運搬バッグ１０から選果コンベヤ５６上への西瓜５４の排出が順次行われる。
【００３９】
選果コンベヤ５６上に排出された西瓜５４は、選果コンベヤ５６によって、選果工程へ搬送される。
【００４０】
なお、全ての西瓜５４が排出されて空となった運搬バッグ１０は、図１に示す骨格部材２８が帯状袋４４から抜き出され、上下に折り畳まれて、図８に示すように、トラック５０により農場まで運搬される。運搬バッグ１０は、上下に折り畳むことにより、トラック５０の荷台５２に多数個積載することも可能となる。
【００４１】
このような運搬バッグ１０によれば、排出ファスナー２６を閉じた状態で、袋体１８の上部開口部１６から複数の西瓜５４を入れて収納し、トラック５０の荷台５２に載置して選果場に運搬することができる。このため、西瓜５４がトラック５０の荷台５２の上で転がることがなく、西瓜５４を損傷させることなく運搬することができる。
【００４２】
また、本発明の運搬バッグ１０によれば、複数の西瓜５４を収納して選果場に運搬し、選果場の選果コンベヤ５６に隣接させて位置決めし、袋体１８内の西瓜５４が正面から排出され得るように底部１２及び底板２０を傾斜させ、側部排出口２４に設けられた排出ファスナー２６を開くことにより、袋体１８内に収納した西瓜５４の全てを選果コンベヤ５６上に排出させることができる。このため、選果場まで運搬された西瓜を、効率的に選果コンベヤ５６上へ載置していくことができる。
【００４３】
さらに、本発明の運搬バッグ１０によれば、西瓜５４が収納された運搬バッグ１０を載置したトラックが略同時に工場に到着しても、トラックを駐車スペースに余裕のある工場外に駐車し、複数のトラックから各トラックに載置された運搬バッグ１０を選果コンベヤ５６の近辺の入荷スペースに略同時に荷降ろしていくことができる。このため、入荷コンベヤを選果場に設置しなくとも、略同時に選果場に到着した複数のトラックから西瓜を略同時に選果場に入荷できる。このため、複数のトラックから西瓜を略同時に入荷するための入荷コンベヤが不要となり、設備コストの低減を図ることができる。
【００４４】
以上、本発明の実施形態について説明したが、本発明は上述の実施形態に限定されない。
【００４５】
例えば、図９に示すように、側部排出口２４及び排出ファスナー２６を１本のみ備え、側部排出口２４が底排出口２２の中間部に連続し、側部排出口２４及び排出ファスナー２６以外は図１及び図２に示す運搬バッグ１０と同様の構成である運搬バッグ１００であってもよい。
【００４６】
運搬バッグ１００は、排出ファスナー２６が設けられた側部排出口２４が底排出口２２の中間部に連続しているため、図１０に示すように、排出ファスナー２６のスライダー４２を最上端までスライドさせて側部排出口２４を開けることにより、正面側の側部１４−１の略下半分１４−１−ｂの中間部付近に、袋体１８に図２に示す側部開口部２３が形成される。このため、運搬バッグ１００を図３に示す傾斜台６０に載置することにより、図１及び図２に示す運搬バッグ１０と同様に、この側部開口部２３から西瓜を排出することができる。
【００４７】
また、本発明は、図１１に示す運搬バッグ１１０であってもよい。運搬バッグ１１０は、底部１２、側部１４及び上部開口部１６を有する袋体１８と、袋体１８の底部１２に配置され、西瓜（農産物）が積載される底板２０と、底板２０の周辺に沿った方向に袋体１８に形成されたコの字形状の１本の底排出口１１２と、底排出口１１２の中間部から底排出口１１２の両端部まで設けられた２本の排出ファスナー（開閉具）１１４と、を備えている。
【００４８】
排出ファスナー１１４は、各スライダー４２が底排出口１１２の中間部に位置している際に閉じ、各スライダー４２を底排出口１１２の端部までスライドさせることにより全開となり、図１２に示すように開口部１１６が形成され得る。
【００４９】
この運搬バッグ１１０は、スライダー４２が底排出口１１２の中間部に位置している状態で、袋体１８に西瓜が収納され選果場に運搬される。
【００５０】
選果場においては、運搬バッグ１１０を選果場の選果コンベヤに隣接させて位置決めし、又は選果コンベヤの上に位置決めし、２本の排出ファスナー１１４の各々のスライダー４２を底排出口１１２の端部までスライドさせ、フォークリフトに取り付けられた吊り上げ用治具に吊紐４０を掛けてフォークリフトにより袋体１８を持ち上げる。
【００５１】
袋体１８が持ち上げられていくに従って、袋体１８に収納されている西瓜の重量により、袋体１８の底部１２及び底板２０が押し下げられて傾斜していき、図１２に示す開口部１１６が形成される。開口部１１６の上下高さが西瓜の直径よりも大きい程度になるまで底部１２が押し下げられると、袋体１８に収納されている西瓜は、底部１２に配置されている底板２０に沿って転がり、開口部１１６から選果コンベヤ上へ排出される。
【００５２】
この運搬バッグ１１０によれば、底排出口１１２に設けられた排出ファスナー１１４を開き、底部１２及び底板２０を傾斜させることにより、袋体１８内に収納した西瓜の全てを選果コンベヤ上に排出させることができる。このため、選果場まで運搬された西瓜を、西瓜５４を手作業で選果コンベヤに積載することなく、効率的に選果コンベヤ上へ載置していくことができる。
【００５３】
また、本発明は、図１３に示す運搬バッグ１２０であってもよい。
【００５４】
運搬バッグ１２０は、底部１２、上部開口部１６及び側部１４を有する袋体１８と、袋体１８の底部１２に配置された底板２０と、袋体１８に形成された底排出口２２と、底排出口２２に連続し底排出口２２から上部開口部１６に向かって延びる２本の第二割れ目２４と、２本の第二割れ目２４に各々設けられたファスナー（開閉具）２６と、を備えている。
【００５５】
運搬バッグ１２０において、第二割れ目２４及びファスナー２６は、袋体１８の正面側の側部１４−１の下端から上端まで延びる。第二割れ目２４の略下半分は西瓜を搬出するための第二搬出割れ目として機能し、第二割れ目２４の略上半分は西瓜を袋体１８に搬入するための搬入割れ目として機能する。また、排出ファスナー２６の略下半分は第二切れ目２４を開かない状態に維持する開閉具として機能し、排出ファスナー２６の略上半分は搬入割れ目を開けるための搬入ファスナーとして機能する。
【００５６】
この運搬バッグ１２０は、西瓜が収納されて選果場へ運搬され、フォークリフト等によって載置台５８に載置される。次に、搬送バッグ１２０は、載置台５８上に載置された状態で、作業者により、排出ファスナー２６のスライダー４２が、西瓜５４の直径以上の距離だけ上へスライドさせられる。スライダー４２が上へスライドさせられると、２本の側部排出口２４の下端部は閉じた状態が解除される。
【００５７】
スライダー４２が上へスライドさせられた状態で、４本の吊紐４０の中で選果コンベヤ５６と反対側の２本の吊紐４０がフック１２２に掛られ、フォークリフト等により持ち上げられる。閉じた状態が解除されている２本の側部排出口２４が、開閉具を設けない底排出口２２の両端に連続しており、袋体１８の正面側の側部１４−１の中で２本の側部排出口２４及び底排出口２２に囲まれている略下半分１４−１−ｂが袋体１８の外側へ揺動可能な状態となる。
【００５８】
このため、図１４に示すように、袋体１８内の西瓜５４は、自重により、傾斜している底板２０に沿って転がり、袋体１８の略下半分１４−１−ｂを押し上げながら、選果コンベヤ５６上に排出される。このため、運搬バッグ１２０によっても、選果場まで運搬された西瓜を、西瓜５４を手作業で選果コンベヤに積載することなく、効率的に選果コンベヤ上へ載置していくことができる。
【００５９】
なお、図１４においては、図３に示す底板部６２、ガイド板６６及び密着板６８を備えた位置決め台６９を載置台５８上に載置して使用しているが、位置決め台６９は特に使用しなくてもよい。
【００６０】
また、本発明は、図１５に示す運搬バッグ１３０であってもよい。
【００６１】
運搬バッグ１３０は、底部１２、上部開口部１６及び側部１４−１等を有する袋体１８と、袋体１８に形成された底排出口２２と、底排出口２２に連続し底排出口２２から上部開口部１６に向かって延びる２本の側部排出口２４と、２本の側部排出口２４に各々設けられたファスナー（開閉具）２６と、底排出口２２を開かない状態に維持する開閉具１３２と、を備えている。
【００６２】
底部１２は、図１６に示すように、正面側辺が短辺となる台形の第一底部１２−１と、正面側辺が長辺となる台形であり、第一底部１２−１両横側に設けられた２個の第二底部１２−２と、第一底部１２−１及び第二底部１２−２の隣接する斜辺同士を連結する図１７に示す三角形のシート状部材１３４と、から構成されている。第一底部１２−１は、正面側辺が短辺となる台形の第一底板２０−１が内蔵され、第二底部１２−２は、各々、正面側辺が長辺となる台形の第一底板２０−２が内蔵されている。
【００６３】
開閉具１３２は、図１５に示すように、側部１４−１に固定され、互いに中心軸が略一致する輪状の留め具１３６と、底部１２に固定され、中心軸が留め具１３６の中心軸と略一致する留め具１３８と、留め具１３６及び１３８に挿入されることにより底部１２が側部１４−１から下へ離隔しないように維持する挿入棒１４０と、から構成されている。挿入棒１４０を留め具１３６及び１３８から抜き出すことにより、図１７に示すように、底部１２が側部１４−１から下へ離隔し、底排出口２２が拡幅する。
【００６４】
このような構成である運搬バッグ１３０は、挿入棒１４０が留め具１３６及び１３８に挿入された状態で袋体１８に西瓜５４が収納され、選果場へ運搬される。
【００６５】
選果場においては、運搬バッグ１３０は、載置台５８に載置された状態で挿入棒１４０が留め具１３６及び１３８から抜き出され、図１８に示すように、フォークリフト７２によって持ち上げられることにより、底部１２が側部１４−１から下へ離隔し、底排出口２２が拡幅する。このため、袋体１８に収納されている西瓜５４が底部１２に沿って転がりながら選果コンベヤ５６上へ排出される。
【００６６】
このような運搬バッグ１３０は、側部排出口２４と側部排出口２４に各々設けられたファスナー２６とを備えているために、図１４と同様に、スライダー４２を上へスライドさせた状態で、４本の吊紐４０の中で選果コンベヤ５６と反対側の２本の吊紐４０をフック１２２に掛け、フォークリフト等により持ち上げて傾斜させることによっても、西瓜５４を選果コンベヤ５６上へ排出することもできる。
【００６７】
このため、運搬バッグ１３０は、選果コンベヤ５６付近のスペースやフォークリフト７２のパワー等を考慮して、図１８のように全体を上へ持ち上げる西瓜５４の排出方法、又は、図１４に示すように全体を傾斜させる西瓜５４の排出方法を適宜選択できる。  
【００６８】
以上、本発明の運搬バッグについて図面に基づいて説明したが、本発明は図示したものに限定されない。
【００６９】
例えば、袋体の形状は、直方体形状に限定されず、円柱形状であってもよい。また、底板は、平板状のものに限定されず、上面が傾斜面であって、底板を傾斜させなくとも載置した農産物が転がり得る形状であってもよい。また、底排出口及び排出ファスナーの数量及び寸法は特に限定されない。
【符号の説明】
【００７０】
１０：運搬バッグ
１２：底部
１４：側部
１６：上部開口部
１８：袋体
２０：底板
２２：底排出口
２３：側部開口部
２４：側部排出口
２６：排出ファスナー
２８：骨格部材
３０：補強部材
４２：スライダー
４４：帯状袋
５４：西瓜（農産物）
５６：選果コンベヤ
６０：傾斜台
６２：底板部
６３：一端
６５：他端
１００、１１０：運搬バッグ
１１２：底排出口
１１４：排出ファスナー
１１６：開口部
【図１】
0006577216.tif 000002
【図２】
0006577216.tif 000003
【図３】
0006577216.tif 000004
【図４】
0006577216.tif 000005
【図５】
0006577216.tif 000006
【図６】
0006577216.tif 000007
【図７】
0006577216.tif 000008
【図８】
0006577216.tif 000009
【図９】
0006577216.tif 000010
【図１０】
0006577216.tif 000011
【図１１】
0006577216.tif 000012
【図１２】
0006577216.tif 000013
【図１３】
0006577216.tif 000014
【図１４】
0006577216.tif 000015
【図１５】
0006577216.tif 000016
【図１６】
0006577216.tif 000017
【図１７】
0006577216.tif 000018
【図１８】
0006577216.tif 000019
【図１９】
0006577216.tif 000020